(57)【特許請求の範囲】
【請求項１】
光電変換素子を備えた画像読み取り装置であって、
赤色（Ｒ）、緑色（Ｇ）および青色（Ｂ）の三色の光のうち、前記光電変換素子の緑色（Ｇ）光に対する分光感度のピーク波長と、ネガフイルムに記録されたカラー画像の再生に用いられるカラーペーパーの緑色（Ｇ）光に対する分光感度のピーク波長とが一致し、
前記光電変換素子の赤色（Ｒ）光及び青色（Ｂ）光に対する分光感度のピーク波長と、前記カラーペーパーの赤色（Ｒ）光及び青色（Ｂ）光に対する分光感度のピーク波長とはいずれも一致しない
ことを特徴とする画像読み取り装置。
【請求項２】
前記光電変換素子の赤色（Ｒ）光に対する分光感度のピーク波長が、ネガフイルムのシアン色素の分光吸収のピーク波長よりも短波長側で、かつ、リバーサルフイルムのシアン色素の分光吸収のピーク波長よりも長波長側にあり、前記光電変換素子の青色（Ｂ）光に対する分光感度のピーク波長が、ネガフイルムのイエロー色素の分光吸収のピーク波長と一致しないように、前記光電変換素子の分光感度が設定されていることを特徴とする請求項１に記載の画像読取装置。
【発明の詳細な説明】
【０００１】
【発明の属する技術分野】
本発明は、画像読み取り装置に関するものであり、さらに詳細には、ネガフイルムもしくはリバーサルフイルムまたはカラープリントに記録されたカラー画像を光電的に読み取り、ディジタル信号に変換して、画像データとして、フレームメモリなどの画像データ記憶手段に記憶し、画像データ記憶手段に記憶された画像データを画像処理して、カラーペーパーなどの記録材料あるいはＣＲＴなどの表示手段上にカラー画像を再生するカラー画像再生システムに用いられ、ネガフイルムあるいはリバーサルフイルムに記録されたカラー画像を読み取る画像読み取り装置であって、Ｓ／Ｎ比を向上させることのできる画像読み取り装置に関するものである。
【０００２】
【従来の技術】
ネガフイルム、リバーサルフイルムあるいはカラープリントなどに記録されたカラー画像を、ＣＣＤなどの光電変換素子によって光電的に読み取り、ディジタル信号に変換して、画像データとして、フレームメモリなどの画像データ記憶手段に記憶し、さらに、画像データ記憶手段に記憶された画像データに画像処理を施して、カラーペーパーなどの記録材料あるいはＣＲＴなどの表示手段上に再生するカラー画像再生システムが提案されている。
このカラー画像再生システムによれば、カラー画像が、露光不足あるいは露光過剰など、適切でない撮影条件下で撮影され、ネガフイルム、リバーサルフイルムあるいはカラープリントなどに記録されていても、画像データに画像処理を施すことにより、所望の色および階調を有するカラー画像として再生することができ、また、ネガフイルム、リバーサルフイルムあるいはカラープリントなどに記録されたカラー画像を、所望により、異なった色および階調を有するカラー画像として再生することができ、望ましい。
【０００３】
【発明の解決しようとする課題】
かかるカラー画像再生システムにおいて、ネガフイルム、リバーサルフイルムに記録されたカラー画像を、カラーペーパー上に再生する場合には、画像読み取り装置は、カラーペーパーと同一の感度特性を有していることが望ましい。
しかしながら、ネガフイルムのシアン色素の分光吸収のピークは、リバーサルフイルムのシアン色素の分光吸収のピークに比して、かなり長波長側にあり、したがって、カラーペーパーの赤色（Ｒ）感度は、ネガフイルムのシアン色素の分光吸収のピークに合わせて、かなり長波長側になるように、感光材料が調製されているので、カラーペーパーの赤色（Ｒ）感度に合わせて、画像読み取り装置の感度を設定すると、リバーサルフイルムに記録されたカラー画像を読み取るときには、フイルタを変えるなどして、画像読み取り装置の感度を調整する必要が生じ、操作が煩雑になるという問題があった。
さらには、ネガフイルムのイエロー濃度は一般に高く、カラーペーパーの青色（Ｂ）感度は、ネガフイルムのイエロー色素の分光吸収のピークと合致するように、感光材料が調製されているため、画像読み取り装置の青色（Ｂ）感度を、カラーペーパーと同一に設定する場合には、きわめて微弱な光を光電検出することのできる画像読み取り装置が必要になり、画像読み取り装置が高価なものとなってしまうという問題もあった。
【０００４】
したがって、本発明は、ネガフイルムもしくはリバーサルフイルムまたはカラープリントに記録されたカラー画像を光電的に読み取り、ディジタル信号に変換して得た画像データに画像処理を施して、カラー画像を再生するカラー画像再生システムに用いられ、ネガフイルムおよびリバーサルフイルムに記録されたカラー画像を読み取る画像読み取り装置であって、ネガフイルムあるいはリバーサルフイルムに記録されたカラー画像を、従来の方法で、カラーペーパー上に再生するのと同様の色調で、カラーペーパー上に再生可能なように、読み取って、ディジタル信号に変換することのできる画像読み取り装置を提供することを目的とするものである。
【０００５】
【課題を解決するための手段】
本発明のかかる目的は、赤色（Ｒ）、緑色（Ｇ）および青色（Ｂ）の三色の光のうち、緑色（Ｇ）光に対する分光感度のピークのみが、ネガフィルムに記録されたカラー画像の再生に用いられるカラーペーパーの緑色（Ｇ）光に対する分光感度のピークと一致する光電変換素子を備えた画像読み取り装置によって達成される。
ネガフィルムのマゼンタ色素の分光吸収特性と、リバーサルフイルムのマゼンタ色素の分光吸収特性とは、きわめて類似しており、したがって、光電変換素子の緑色（Ｇ）光に対する分光感度のピークを、カラーペーパーの緑色（Ｇ）光に対する分光感度のピークと一致させても、リバーサルフイルムに記録されたカラー画像を読み取ることができる。これに対して、ネガフイルムのシアン色素の分光吸収のピークは、リバーサルフイルムのシアン色素の分光吸収のピークに比して、かなり長波長側にあるため、光電変換素子の赤色（Ｒ）光に対する分光感度のピークを、カラーペーパーの赤色（Ｒ）光に対する分光感度のピークと一致させる場合には、リバーサルフイルムに記録されたカラー画像を、所望のように、読み取ることは困難である。また、光電変換素子の青色（Ｂ）光に対する分光感度ピークを、カラーペーパーの青色（Ｂ）光に対する分光感度ピークと一致させる場合には、ネガフイルムのイエロー濃度が高く、きわめて微弱な光を検出しなければならなくなるため、ネガフイルムに記録されたカラー画像を、所望のように、読み取ることが困難になる。
【０００６】
しかしながら、光電変換素子の赤色（Ｒ）光、青色（Ｂ）光に対する分光感度のピークが、カラーペーパーの赤色（Ｒ）光、青色（Ｂ）光に対する分光感度のピークと一致していなくとも、光電変換素子の緑色（Ｇ）光に対する分光感度のピークと、カラーペーパーの緑色（Ｇ）光に対する分光感度のピークとが一致してさえいれば、カラー画像を読み取って得た画像データ中の緑色（Ｇ）光に対応するＧ画像データを基準として、赤色（Ｒ）光に対応するＲ画像データおよび青色（Ｂ）光に対応するＢ画像データに対して、信号処理を施すことによって、従来の方法により、カラーペーパーに再生されるカラー画像と同様の色調特性を有する画像データを得ることができる。
したがって、本発明によれば、ネガフイルムおよびリバーサルフイルムに記録されたカラー画像を、従来の方法で、カラーペーパー上に再生するのと同様の色調で、カラーペーパー上に再生可能なように、読み取って、ディジタル信号に変換することが可能になる。
本発明の好ましい実施態様においては、光電変換素子の赤色（Ｒ）光に対する分光感度のピークが、ネガフイルムのシアン色素の分光吸収のピークよりも短波長側で、かつ、リバーサルフイルムのシアン色素の分光吸収のピークよりも長波長側にあり、光電変換素子の青色（Ｂ）光に対する分光感度のピークが、ネガフイルムのイエロー色素の分光吸収のピークと一致しないように、光電変換素子の分光感度が設定されている。
【０００７】
本発明において、ある色の光に対する分光感度のピークが、その色の光に対するカラーペーパーの分光吸収感度のピークと異なり、ある色の光に対する分光感度のピークが、その色の光に対するカラーペーパーの分光吸収感度のピークと一致した光電変換素子とは、そのような分光感度特性を有する光電変換素子だけでなく、フイルタなどを用いて、分光感度特性をそのように変換した光電変換素子も含んでいる。
【０００８】
【発明の実施の形態】
以下、添付図面に基づいて、本発明の好ましい実施態様につき、詳細に説明を加える。
図１は、本発明の好ましい実施態様にかかる画像読み取り装置を含むカラー画像再生システムのブロックダイアグラムである。
図１に示されるように、カラー画像再生システムは、カラー画像を読み取り、ディジタル化された画像データを生成する画像読み取り装置１、画像読み取り装置１により生成された画像データに所定の画像処理を施す画像処理装置５および画像処理装置により画像処理が施された画像データに基づいて、カラー画像を再生する画像出力装置８を備えている。画像読み取り装置１としては、ネガフイルムあるいはリバーサルフイルムなどのフイルムＦに記録されたカラー画像を光電的に読み取る透過型画像読み取り装置とカラープリントに記録されたカラー画像を光電的に読み取る反射型画像読み取り装置を、選択的に、画像処理装置５に接続することにより、ネガフイルムあるいはリバーサルフイルムなどのフイルムＦに記録されたカラー画像およびカラープリントに記録されたカラー画像のいずれをも、再生することができるように構成されている。
【０００９】
図２は、本発明の実施態様にかかるカラー画像再生システム用の透過型画像読み取り装置の概略図である。
図２において、透過型画像読み取り装置１０は、ネガフイルムあるいはリバーサルフイルムなどのフイルムＦに記録されたカラー画像に、光を照射して、フイルムを透過した光を検出することにより、カラー画像を光電的に読み取り可能に構成されており、光源１１、光源１１から発せられた光の光量を調整可能な光量調整ユニット１２、光源１１から発せられた光を、赤色（Ｒ）、緑色（Ｇ）および青色（Ｂ）の三色に分解する色分解ユニット１３、光源１１から発せられた光がフイルムＦに一様に照射されるように、光を拡散させる拡散ユニット１４、フイルムＦを透過した光を光電的に検出するＣＣＤエリアセンサ１５およびフイルムＦを透過した光をＣＣＤエリアセンサ１５に結像させるレンズ１６を備えている。
本実施態様においては、ＣＣＤエリアセンサ１５の分光感度は、緑色（Ｇ）光に対する分光感度のピークが、ネガフィルムに記録されたカラー画像の再生に用いられるカラーペーパーの緑色（Ｇ）光に対する分光感度のピークと一致し、赤色（Ｒ）光に対する分光感度のピークが、ネガフイルムのシアン色素の分光吸収のピークよりも短波長側で、かつ、リバーサルフイルムのシアン色素の分光吸収のピークよりも長波長側にあり、青色（Ｂ）光に対する分光感度のピークが、ネガフイルムのイエロー色素の分光吸収のピークと一致しないように、設定されている。
【００１０】
透過型画像読み取り装置１０は、さらに、ＣＣＤエリアセンサ１５により光電的に検出され、生成されたＲ、Ｇ、Ｂの画像信号を増幅する増幅器１７、画像信号をディジタル化するＡ／Ｄ変換器１８、Ａ／Ｄ変換器１８によりディジタル化された画像信号に対して、画素毎の感度のバラツキや暗電流の補正処理を施すＣＣＤ補正手段１９およびＲ、Ｇ、Ｂの画像データを濃度データに変換するログ変換器２０を備えている。ログ変換器２０は、インターフエイス２１に接続されている。
フイルムＦは、キャリア２２により保持され、キャリア２２に保持されたフイルムＦは、モータ２３により駆動される駆動ローラ２４によって、所定の位置に送られて、停止状態に保持され、１コマのカラー画像の読み取りが完了すると、１コマ分、送られるように構成されている。図２において、２５は、画面検出センサであり、フイルムＦに記録されたカラー画像の濃度分布を検出し、検出した濃度信号を透過型画像読み取り装置１０を制御するＣＰＵ２６に出力するものであり、この濃度信号に基づき、ＣＰＵ２６は、フイルムＦに記録されたカラー画像の画面位置を算出し、カラー画像の画面位置が所定の位置に達したと判定すると、モータ２３の駆動を停止させるように構成されている。
【００１１】
透過型画像読み取り装置１０においては、まず、フイルムＦに赤色光が照射され、フイルムＦを透過した光がＣＣＤエリアセンサ１５により光電的に検出されて、フイルムＦの１コマ分のＲ画像データが生成され、生成された１コマ分のＲ画像データが、１０ビット毎に、画像処理装置に転送され、次いで、フイルムＦに緑色光が照射され、フイルムＦを透過した光がＣＣＤエリアセンサ１５により光電的に検出されて、フイルムＦの１コマ分のＧ画像データが生成され、生成された１コマ分のＧ画像データが、１０ビット毎に、画像処理装置に転送される。最後に、フイルムＦに青色光が照射され、フイルムＦを透過した光がＣＣＤエリアセンサ１５により光電的に検出されて、フイルムＦの１コマ分のＢ画像データが生成され、生成された１コマ分のＢ画像データが、１０ビット毎に、画像処理装置に転送されるように構成されている。したがって、透過型画像読み取り装置１０にあっては、生成された画像データが、Ｒ、Ｇ、Ｂの画像データ毎に、１コマ単位で、画像処理装置５に転送されることになる。
図３は、カラー画像再生システム用の反射型画像読み取り装置の一例を示す概略図である。
【００１２】
図３に示されるように、反射型画像読み取り装置３０は、カラープリントＰに記録されたカラー画像に、光を照射して、カラープリントＰにより反射された光を検出することにより、カラー画像を光電的に読み取り可能に構成されており、光源３１、光源３１から発せられ、カラープリントＰの表面で反射された光を反射するミラー３２、カラープリントＰの表面で反射された光のＲ、Ｇ、Ｂの感度を調整するカラーバランスフイルタ３３、カラープリントＰの表面で反射された光の光量を調節可能な光量調整ユニット３４、カラープリントＰにより反射された光を光電的に検出するＣＣＤラインセンサ３５およびカラープリントＰにより反射された光をＣＣＤラインセンサ３５に結像させるレンズ３６を備えている。ＣＣＤラインセンサ３５は、Ｒ、Ｇ、Ｂの三色に対応した３ラインセンサにより構成され、光源３１およびミラー３２を矢印の方向に移動させつつ、ＣＣＤラインセンサ３５により、カラープリントＰから反射された反射光を検出することにより、カラープリントＰに記録されたカラー画像が二次元的に読み取られる。
反射型画像読み取り装置３０は、さらに、ＣＣＤラインセンサ３５により光電的に検出され、生成されたＲ、Ｇ、Ｂの画像信号を増幅する増幅器３７、画像信号をディジタル化するＡ／Ｄ変換器３８、Ａ／Ｄ変換器３８によりディジタル化された画像信号に対して、画素毎の感度のバラツキや暗電流の補正処理を施すＣＣＤ補正手段３９およびＲ、Ｇ、Ｂの画像データを濃度データに変換するログ変換器４０を備えている。ログ変換器４０は、インターフエイス４１に接続されている。
【００１３】
反射型画像読み取り装置３０において、カラープリントＰは、キャリア（図示せず）により静止状態に保持され、光源３１およびミラー３２は、駆動手段（図示せず）によって、矢印の方向に、移動されるように構成されている。反射型画像読み取り装置３０は、ＣＰＵ４６により制御されている。
本実施態様にかかる反射型画像読み取り装置３０においては、Ｒ、Ｇ、Ｂの三色に対応した３ラインセンサにより構成されたＣＣＤラインセンサが、カラープリントＰに記録されたカラー画像上を移動して、Ｒ、Ｇ、Ｂの三色に対応した画像データを生成しながら、生成した画像データを、順次、画像処理装置に転送するように構成されている。したがって、本実施態様にかかる反射型画像読み取り装置３０おいては、第１の画素のＲ画像データ、第１の画素のＧ画像データ、第１の画素のＢ画像データ、次いで、第２の画素のＲ画像データ、第２の画素のＧ画像データ、第２の画素のＢ画像データというように、画像データが、画素単位で、１２ビット毎に、画像処理装置に転送される。
図４および図５は、本発明の好ましい実施態様にかかる画像読み取り装置を含むカラー画像再生システムに用いられる画像処理装置５のブロックダイアグラムである。
【００１４】
図４および図５に示されるように、画像処理装置５は、透過型画像読み取り装置１０のインターフエイス２１あるいは反射型画像読み取り装置３０のインターフエイス４１と接続可能なインターフエイス４８と、反射型画像読み取り装置３０または透過型画像読み取り装置１０から転送されてきた画像データに、転送される画像データのビット数の変更、ネガポジ反転などの処理を施すデータ処理部４６と、画像読み取り装置１から入力された隣接する２つの画素データの値を加算して、平均し、１つの画素データに割り当てる加算平均演算手段４９と、加算平均演算手段４９から送られてきた画像データの各ラインの中の画素データを、交互に記憶する第１のラインバッファ５０ａおよび第２のラインバッファ５０ｂと、ラインバッファ５０ａ、５０ｂに記憶されたラインデータが転送され、フイルムＦに記録された１コマのカラー画像あるいは１枚のカラープリントＰに記録されたカラー画像に対応する画像データを記憶する第１のフレームメモリユニット５１、第２のフレームメモリユニット５２および第３のフレームメモリユニット５３を備えている。ここに、第１のラインバッファ５０ａおよび第２のラインバッファ５０ｂは、画像データの各ラインの奇数番目の画素データを一方のラインバッファに、偶数番目の画素データを他方のラインバッファに交互に記憶するように構成されている。
【００１５】
加算平均演算手段４９は、透過型画像読み取り装置１０から、１０ビット毎に連続的に転送される１コマ分の画像データに対しては、隣接する２つの画素データの値を加算平均して、１つの画素データに割り当てるように、反射型画像読み取り装置３０から、１２ビット毎に転送される画素毎の画像データに対しては、Ｒ画像データの隣接する２つの画素データの値、Ｇ画像データの隣接する２つの画素データの値、Ｂ画像データの隣接する２つの画素データの値を、それぞれ、加算平均して、１つの画素データに割り当てるように構成されている。
また、フイルムＦに記録された１コマのカラー画像あるいは１枚のカラープリントＰに記録されたカラー画像を、画像読み取り装置１によって、一旦、読み取り、ディジタル画像データを生成し、この第１の読み取り（先読み）によって得られた画像データに基づき、画像処理装置５により、第２の読み取り（本読み）のための画像読み取り条件を設定し、再度、カラー画像の読み取り（本読み）を実行して、ディジタル画像データを生成するように構成されており、第１のフレームメモリユニット５１には、第１の読み取りである先読みにより得られた画像データが、第２のフレームメモリユニット５２および第３のフレームメモリユニット５３には、第２の読み取りである本読みによって得られた画像データが、それぞれ、記憶されるように構成されている。
【００１６】
図６は、第１のラインバッファ５０ａ、第２のラインバッファ５０ｂ、第１のフレームメモリユニット５１、第２のフレームメモリユニット５２および第３のフレームメモリユニット５３の詳細を示すブロックダイアグラムである。
図６に示されるように、画像処理装置５は、カラー画像を読み取って生成された画像データを処理するため、第１のラインバッファ５０ａ、第２のラインバッファ５０ｂ、第１のフレームメモリユニット５１、第２のフレームメモリユニット５２および第３のフレームメモリユニット５３は、それぞれ、Ｒ、Ｇ、Ｂに対応する画像データを記憶する第１のＲラインバッファ５０ａＲ、第１のＧラインバッファ５０ａＧおよび第１のＢラインバッファ５０ａＢ、第２のＲラインバッファ５０ｂＲ、第２のＧラインバッファ５０ｂＧおよび第２のＢラインバッファ５０ｂＢ、Ｒデータメモリ５１Ｒ、Ｇデータメモリ５１ＧおよびＢデータメモリ５１Ｂ、Ｒデータメモリ５２Ｒ、Ｇデータメモリ５２ＧおよびＢデータメモリ５２ＢならびにＲデータメモリ５３Ｒ、Ｇデータメモリ５３ＧおよびＢデータメモリ５３Ｂを備えている。図６においては、第１のフレームメモリユニット５１に、先読みにより得られた画像データが入力され、第２のフレームメモリユニット５２に記憶された画像データが出力されている状態が示されている。
【００１７】
画像処理装置５全体を制御するＣＰＵ６０、第１のＲラインバッファ５０ａＲ、第１のＧラインバッファ５０ａＧおよび第１のＢラインバッファ５０ａＢ、第２のＲラインバッファ５０ｂＲ、第２のＧラインバッファ５０ｂＧおよび第２のＢラインバッファ５０ｂＢ、Ｒデータメモリ５１Ｒ、Ｇデータメモリ５１ＧおよびＢデータメモリ５１Ｂ、Ｒデータメモリ５２Ｒ、Ｇデータメモリ５２ＧおよびＢデータメモリ５２ＢならびにＲデータメモリ５３Ｒ、Ｇデータメモリ５３ＧおよびＢデータメモリ５３Ｂによって、反射型画像読み取り装置３０から色毎に画素単位あるいはライン単位で転送される画像データを、１コマ分の画像データを色毎に記憶する第１、第２または第３のフレームメモリユニット５１、５２、５３に記憶させるためのフォーマット変更手段が構成されている。
このように構成されたフォーマット変更手段は、以下のようにして、画像データのフォーマットを変更する。
ＣＣＤエリアセンサ１５を備えた透過型画像読み取り装置１０においては、まず、赤色光（Ｒ）をフイルムに照射し、フイルムの１コマ分のＲ画像データを生成して、画像処理装置５に転送し、次いで、緑色光（Ｇ）をフイルムに照射し、フイルムの１コマ分のＧ画像データを生成して、画像処理装置５に転送し、最後に、青色光（Ｂ）をフイルムに照射し、フイルムの１コマ分のＢ画像データを生成して、画像処理装置５に転送するように構成されている。したがって、透過型画像読み取り装置１０においては、生成した画像データが、Ｒ、Ｇ、Ｂの画像データ毎に、１コマ単位、すなわち、面単位で、画像処理装置５に転送されることになる。
【００１８】
これに対して、ＣＣＤラインセンサ３５を備えた反射型画像読み取り装置３０においては、Ｒ、Ｇ、Ｂの三色に対応した３ラインセンサを備えたＣＣＤラインセンサ３５が、カラープリントなどに記録されたカラー画像上を移動して、Ｒ、Ｇ、Ｂに対応した画像データを生成し、順次、画像処理装置５に転送しながら、カラー画像を読み取るように構成されている。したがって、反射型画像読み取り装置３０においては、生成された画像データは、第１の画素のＲ画像データ、第１の画素のＧ画像データ、第１の画素のＢ画像データ、次いで、第２の画素のＲ画像データ、第２の画素のＧ画像データ、第２の画素のＢ画像データというように、Ｒ、Ｇ、Ｂの画像データ毎に、画素単位で、画像処理装置に転送されるか、あるいは、第１のラインのＲ画像データ、第１のラインのＧ画像データ、第１のラインのＢ画像データ、次いで、第２のラインのＲ画像データ、第２のラインのＧ画像データ、第２のラインのＢ画像データというように、生成された画像データが、Ｒ、Ｇ、Ｂの画像データ毎に、ライン単位で、画像処理装置５に転送されるかであり、この例では、生成された画像データは、画素単位で、画像処理装置に転送されるように構成されている。
【００１９】
画像処理装置５では、画像データは、１コマ毎に、第１のフレームメモリユニット５１、第２のフレームメモリユニット５２または第３のフレームメモリユニット５３に記憶されるように構成されている。ここに、第１のフレームメモリユニット５１、第２のフレームメモリユニット５２および第３のフレームメモリユニット５３は、それぞれ、Ｒ、Ｇ、Ｂに対応する画像データを記憶するＲデータメモリ５１Ｒ、Ｇデータメモリ５１ＧおよびＢデータメモリ５１Ｂ、Ｒデータメモリ５２Ｒ、Ｇデータメモリ５２ＧおよびＢデータメモリ５２ＢならびにＲデータメモリ５３Ｒ、Ｇデータメモリ５３ＧおよびＢデータメモリ５３Ｂから構成され、画像読取装置１から送られてきたＲ、Ｇ、Ｂの画像データは、色毎に、Ｒデータメモリ５１Ｒ、Ｇデータメモリ５１ＧおよびＢデータメモリ５１Ｂ、Ｒデータメモリ５２Ｒ、Ｇデータメモリ５２ＧおよびＢデータメモリ５２ＢまたはＲデータメモリ５３Ｒ、Ｇデータメモリ５３ＧおよびＢデータメモリ５３Ｂに、それぞれ、記憶される。したがって、透過型画像読取装置１０から、Ｒ、Ｇ、Ｂの画像データ毎に、一コマ単位で、順次、画像処理装置５に転送された画像データは、そのまま、順次、第１のフレームメモリユニット５１のＲデータメモリ５１Ｒ、Ｇデータメモリ５１ＧおよびＢデータメモリ５１Ｂ、第２のフレームメモリユニット５２のＲデータメモリ５２Ｒ、Ｇデータメモリ５２ＧおよびＢデータメモリ５２Ｂまたは第３のフレームメモリユニット５３のＲデータメモリ５３Ｒ、Ｇデータメモリ５３ＧおよびＢデータメモリ５３Ｂに記憶させることができる。
【００２０】
これに対して、反射型画像読み取り装置３０からの画像データは、第１の画素のＲ画像データ、第１の画素のＧ画像データ、第１の画素のＢ画像データ、次いで、第２の画素のＲ画像データ、第２の画素のＧ画像データ、第２の画素のＢ画像データというように、Ｒ画像データ、Ｇ画像データ、Ｂ画像データが、画素毎に、画像処理装置５に連続的に転送されるため、Ｒ画像データ、Ｇ画像データ、Ｂ画像データを、対応するＲデータメモリ、ＧデータメモリまたはＢデータメモリに、選択的に、記憶させていくことが必要になる。
したがって、画像処理装置５においては、反射型画像読み取り装置３０からの画像データを、たとえば、第２のフレームメモリユニット５２に記憶させる際には、ＣＰＵ６０は、最初におくられてきた第１の画素のＲ画像データをＲメモリユニット５２Ｒに記憶させ、次に送られてきた第１の画素のＧ画像データをＧメモリユニット５２Ｇに記憶させ、３番目に送られてきた第１の画素のＢ画像データをＢメモリユニット５２Ｂに記憶させ、４番目に送られてきた第２の画素のＲ画像データをＲメモリユニット５２Ｒに記憶させ、５番目に送られてきた第２の画素のＧ画像データはＧメモリユニット５２Ｇに記憶させ、６番目に送られてきた第２の画素のＢ画像データはＢメモリユニット５２Ｂに記憶させ、というように、３つのメモリユニット５２Ｒ、５２Ｇ、５２Ｂを制御して、画素単位で送られてくるＲ、Ｇ、Ｂの画像データを、Ｒメモリユニット５２Ｒ、Ｇメモリユニット５２ＧおよびＢメモリユニット５２Ｂに、選択的に、順次、記憶させるように構成されている。
【００２１】
また、この例では、各メモリユニットは、ＤＲＡＭによって構成されているので、リフレッシュ動作が必要であり、他方、画像データは、各メモリユニットのリフレッシュ動作と無関係に、送られてくるため、リフレッシュ動作時には、各メモリユニットは、画像データを記憶することができない。そこで、第１のフレームメモリユニット５１、第２のフレームメモリユニット５２および第３のフレームメモリユニット５３の前に、第１のラインバッファ５０ａと第２のラインバッファ５０ｂが設けられ、これらにより、画像データを一時的に保持した後に、第１のフレームメモリユニット５１、第２のフレームメモリユニット５２または第３のフレームメモリユニット５３に記憶させることによって、各メモリユニットのリフレッシュ動作と無関係に送られてくる画像データを、第１のフレームメモリユニット５１、第２のフレームメモリユニット５２または第３のフレームメモリユニット５３に記憶することができるように構成されている。
ここに、第１のラインバッファ５０ａおよび第２のラインバッファ５０ｂは、ＣＰＵ６０によって制御され、転送されてきた画像データを交互に記憶するように構成されている。第１のラインバッファ５０ａは、第１のＲラインバッファ５０ａＲ、第１のＧラインバッファ５０ａＧおよび第１のＢラインバッファ５０ａＢにより構成され、第２のラインバッファ５０ｂは、第２のＲラインバッファ５０ｂＲ、第２のＧラインバッファ５０ｂＧおよび第２のＢラインバッファ５０ｂＢにより構成されており、Ｒ画像データは、第１のＲラインバッファ５０ａＲと第２のＲラインバッファ５０ｂＲに交互に、Ｇ画像データは、第１のＧラインバッファ５０ａＧと第２のＧラインバッファ５０ｂＧに交互に、Ｂ画像データは、第１のＢラインバッファ５０ａＢと第２のＢラインバッファ５０ｂＢに交互に、それぞれ、記憶されるように構成されている。
【００２２】
したがって、反射型画像読み取り装置３０からの画像データを、たとえば、第２のフレームメモリユニット５２に記憶させる際には、ＣＰＵ６０は、最初におくられてきた第１の画素のＲ画像データを第１のＲラインバッファ５０ａＲに記憶させ、次に送られてきた第１の画素のＧ画像データを第１のＧラインバッファ５０ａＧに記憶させ、３番目に送られてきた第１の画素のＢ画像データは第１のＧラインバッファ５０ａＧに記憶させ、４番目に送られてきた第２の画素のＲ画像データを第２のＲラインバッファ５０ｂＲに記憶させ、５番目に送られてきた第２の画素のＧ画像データを第２のＧラインバッファ５０ｂＧに記憶させ、６番目に送られてきた第２の画素のＢ画像データを第２のＧラインバッファ５０ｂＧに記憶させ、７番目に送られてきた第３の画素のＲ画像データを第１のＲラインバッファ５０ａＲに記憶させ、８番目に送られてきた第３の画素のＧ画像データを第１のＧラインバッファ５０ａＧに記憶させ、というように、第１のフレームメモリユニット５１、第２のフレームメモリユニット５２または第３のフレームメモリユニット５３の前に設けられた６つのラインバッファを制御して、これらに、選択的に、順次、記憶させて、第１のフレームメモリユニット５１、第２のフレームメモリユニット５２および第３のフレームメモリユニット５３のうち、画像データを記憶可能なフレームメモリユニットに、画像データを記憶させるように構成されている。
【００２３】
画像処理装置５全体を制御するＣＰＵ６０は、透過型画像読み取り装置１０を制御するＣＰＵ２６あるいは反射型画像読み取り装置３０を制御するＣＰＵ４６と通信線（図示せず）を介して、通信可能で、かつ、後述する画像出力装置８を制御するＣＰＵと通信線（図示せず）を介して、通信可能に構成されている。ＣＰＵ６０は、第１のフレームメモリユニット５１に記憶された先読みにより得られた画像データに基づき、カラー画像の本読みをおこなうための画像読み取り条件および必要に応じて、画像処理条件を修正することができるように構成されている。すなわち、ＣＰＵ６０は、先読みによって得られた画像データに基づき、本読みの際、ＣＣＤエリアセンサ１５あるいはＣＣＤラインセンサ３５のダイナミックレンジを効率良く利用可能なように、本読みのための画像読み取り条件を決定して、読み取り制御信号を、透過型画像読み取り装置１０のＣＰＵ２６あるいは反射型画像読み取り装置３０のＣＰＵ４６に出力する。読み取り制御信号が入力されると、透過型画像読み取り装置１０のＣＰＵ２６あるいは反射型画像読み取り装置３０のＣＰＵ４６は、光量調整ユニット１２あるいは光量調整ユニット３４により調整される光量およびＣＣＤエリアセンサ１５あるいはＣＣＤラインセンサ３５の蓄積時間を制御する。同時に、ＣＰＵ６０は、得られた画像データに基づいて、最適な濃度、階調および色調を有するカラー画像をカラーペーパー上に再生可能なように、後述する第１の画像処理手段および第２の画像処理手段による画像処理のパラメータなどの画像処理条件を修正する制御信号を、必要に応じて、第１の画像処理手段および第２の画像処理手段に出力する。
【００２４】
このように、第１の画像読み取り、すなわち、先読みにより得られた第１の画像データは、もっぱら、第２の画像読み取り、すなわち、本読みのための画像読み取り条件および画像処理条件を決定するために使用されるものであるので、データ量は少なくてよく、また、後述のように、この例では、先読みにより得られた画像データに基づき、カラー画像をＣＲＴに再生して、再生されたカラー画像を観察することによって、オペレータが画像処理条件を設定することができるように構成されており、先読みにより得られた画像データのデータ量は、画像データ生成装置によって、ＣＲＴにカラー画像を再生可能なデータ量に減少させられて、第１のフレームメモリユニット５１に記憶される。したがって、透過型画像読み取り装置１０においては、先読み時に、ＣＣＤエリアセンサ１５が奇数フィールドあるいは偶数フィールドに対応する画像データのみを転送し、また、反射型画像読み取り装置においては、先読み時に、光源３１およびミラー３２の移動速度、すなわち、副走査速度を２倍にすることにより、本読みの場合に比して、生成する画像データのデータ量が１／２になるように、画像読み取り装置１が構成され、さらに、画像処理装置５の加算平均演算手段４９が、送られて来た画像データの２つの画素データの値を加算し、平均して得たデータを１つの画素データに割り当てることにより、画像データの各ラインの画素データ数を１／２に減少させ、画像データの奇数ラインおよび偶数ラインの一方の画素データのみを、第１のラインバッファ５０ａおよび第２のラインバッファ５０ｂに、交互に、記憶させ、第１のラインバッファ５０ａおよび第２のラインバッファ５０ｂの一方に記憶させられた画像データのみを、フレームメモリに記憶させることにより、フレームメモリに記憶させられる画像データの画素データ数を、１／１６に減少させるように構成されている。このように、先読み時には、画像データの中の画素データ数が減少させられるので、本読みによって得られる画像データを記憶する第２のフレームメモリユニット５２および第３のフレームメモリユニット５３は、ネガフイルムあるいはリバーサルフイルムなどのフイルムＦに記録された１コマ分のカラー画像あるいは１枚のカラープリントＰに記録されたカラー画像を読み取って得た画像データを記憶することのできる容量を有しているが、先読みによって得られた画像データを記憶する第１のフレームメモリユニット５１としては、第２のフレームメモリユニット５２および第３のフレームメモリユニット５３よりもはるかに容量の小さいものが用いられている。
【００２５】
画像処理装置５は、さらに、第２のフレームメモリユニット５２および第３のフレームメモリユニット５３に記憶された画像データに、所望の濃度、階調および色調で、カラーペーパー上にカラー画像が再生可能なように、ルックアップテーブルやマトリックス演算により、階調補正、色変換、濃度変換などの画像処理を施す第１の画像処理手段６１ならびに第１のフレームメモリユニット５１に記憶された画像データに、所望のような画質で、後述するＣＲＴの画面にカラー画像が再生可能なように、ルックアップテーブルやマトリックス演算により、階調補正、色変換、濃度変換などの画像処理を施す第２の画像処理手段６２を備えている。第２のフレームメモリユニット５２および第３のフレームメモリユニット５３の出力は、セレクタ５５に接続され、セレクタ５５により、第２のフレームメモリユニット５２および第２のフレームメモリユニット５３のいずれかに記憶された画像データが選択的に第１の画像処理手段６１に入力されるように構成されている。
第１のフレームメモリユニット５１、第２のフレームメモリユニット５２および第３のフレームメモリユニット５３の入力バス６３および出力バス６４とは別に、データバス６５が設けられており、データバス６５には、カラー画像再生システム全体を制御するＣＰＵ６０、ＣＰＵ６０の動作プログラムを格納したメモリ６６、画像データを記憶して、保存可能なハードディスク６７、ＣＲＴ６８、キーボード６９、他のカラー画像再生システムと通信回線を介して接続される通信ポート７０、透過型画像読み取り装置１０のＣＰＵ２６あるいは反射型画像読み取り装置３０のＣＰＵ４６との通信線などが接続されている。
【００２６】
第１の画像処理手段６１は、データ合成手段７５に接続され、データ合成手段７５には、合成データメモリ７６が接続されている。合成データメモリ７６は、Ｒ、Ｇ、Ｂに対応する図形、文字などの画像データを記憶するＲデータメモリ７６Ｒ、Ｇデータメモリ７６ＧおよびＢデータメモリ７６Ｂを備えており、フイルムＦあるいはカラープリントＰに記録されたカラー画像を読み取って得た画像データと合成して、後述する画像出力装置８によって、カラーペーパー上に、カラー画像が再生されるときに、カラー画像と合成されるべき図形、文字などの画像データを記憶している。データ合成手段７５は、インターフエイス７７に接続されている。
図７は、画像処理装置によって処理された画像データに基づき、カラーペーパー上に、カラー画像を再生するカラー画像再生システム用の画像出力装置８の概略図である。
図７において、画像出力装置８は、画像処理装置５のインターフエイス７７と接続可能なインターフエイス７８と、画像出力装置８を制御するＣＰＵ７９と、画像処理装置５から入力された画像データを記憶する複数のフレームメモリからなる画像データメモリ８０と、画像データをアナログ信号に変換するＤ／Ａ変換器８１と、レーザ光照射手段８２と、レーザ光の強度を変調させる変調信号を出力する変調器駆動手段８３を備えている。ＣＰＵ７９は、画像処理装置５のＣＰＵ６０と通信線（図示せず）を介して、通信可能に構成されている。
【００２７】
図８は、レーザ光照射手段８２の概略図であり、レーザ光照射手段８２は、赤色の半導体レーザ光源８４ａ、８４ｂ、８４ｃを備え、半導体レーザ光源８４ｂにより発せられたレーザ光は、波長変換手段８５により、緑色のレーザ光に変換され、半導体レーザ光源８４ｃにより発せられたレーザ光は、波長変換手段８６によって、青色のレーザ光に変換される。半導体レーザ光源８４ａから発せられた赤色レーザ光、波長変換手段８５によって、波長が変換された緑色レーザ光および波長変換手段８６によって、波長が変換された青色レーザ光は、それぞれ、音響光学変調器（ＡＯＭ）などの光変調器８７Ｒ、８７Ｇ、８７Ｂに入射するように構成されており、光変調器８７Ｒ、８７Ｇ、８７Ｂには、それぞれ、変調器駆動手段８３から変調信号が入力され、変調信号に応じて、レーザ光の強度が変調されるように構成されている。光変調器８７Ｒ、８７Ｇ、８７Ｂによって、強度が変調されたレーザ光は、反射ミラー８８Ｒ、８８Ｇ、８８Ｂにより反射されて、ポリゴンミラー８９に入射する。
画像出力装置８は、ウエブ状のカラーペーパー９０をロール状に収納したマガジン９１を備え、カラーペーパー９０は、所定の搬送経路に沿って副走査方向に搬送されるように構成されている。カラーペーパー９０の搬送経路には、カラープリント１枚分の長さに相当する間隔毎に、カラーペーパー９０の側縁部に、基準孔を穿つ穿孔手段９２が設けられており、画像出力装置８内においては、この基準孔にしたがって、カラーペーパー９０の搬送とレーザ光照射手段８２との同期が図られ、後述するように、カラーペーパー９０の所定位置をレーザ光照射手段８２で露光するようにされている。
【００２８】
光変調器８７Ｒ、８７Ｇ、８７Ｂにより変調されたレーザ光は、ポリゴンミラー８９によって、主走査方向に走査され、ｆθレンズ９３を介して、カラーペーパー９０を露光する。ここに、カラーペーパー９０は、副走査方向に搬送されているため、その全面が、レーザ光によって露光される。ここに、副走査方向のカラーペーパー９０の搬送速度は、レーザ光の主走査速度、すなわち、ポリゴンミラー８９の回転速度と同期するように、ＣＰＵ７９によって制御されている。
レーザ光によって露光されたカラーペーパー９０は、現像処理部９４に送られて、所定の発色現像処理、漂白定着処理、および水洗処理がなされ、画像処理装置５により画像処理された画像データに基づいて、カラーペーパー９０上にカラー画像が再生される。発色現像槽９４、漂白定着槽９５および水洗槽９６によって、発色現像処理、漂白定着処理および水洗処理がなされたカラーペーパー９０は、乾燥部９７に送られ、乾燥された後、カラーペーパー９０の側縁部に穿孔された基準孔に基づいて、カラーペーパー９０の搬送と同期して駆動されるカッタ９８により、１コマのフイルムＦのあるいは１枚のカラーペーパーＰに記録されたカラー画像に対応する長さに切断され、ソータ９９に送られて、１本のフイルムＦに対応する枚数あるいは顧客毎に、集積されるように構成されている。
【００２９】
ここに、発色現像槽９４、漂白定着槽９５、水洗槽９６、乾燥部９７、カッター９８およびソータ９９としては、通常の自動現像機に使用されているものを利用することができる。
図９は、第１の画像処理手段６１の詳細を示すブロックダイアグラムである。図９に示されるように、第１の画像処理手段６１は、画像データの濃度データ、色データおよび階調データを変換する色濃度階調変換手段１００、画像データの彩度データを変換する彩度変換手段１０１、画像データの画素データ数を変換するディジタル倍率変換手段１０２、画像データに周波数処理を施す周波数処理手段１０３および画像データのダイナミック・レンジを変換するダイナミック・レンジ変換手段１０４を備えている。
図１０は、発色現像槽９４の上流側の画像出力装置８の詳細図である。図１０に示されるように、画像出力装置８は、ウエブ状のカラーペーパー９０の搬送経路に沿って、第１の搬送ローラ対２０１、第１のセンサ２００、穿孔手段９２、ステップモータにより間欠的に駆動される第２の搬送ローラ対２０２、第３の搬送ローラ対２０３、ドラム２０４、ステップモータ（図示せず）により間欠的に駆動される第４の搬送ローラ対２０５、第２のセンサ２０６、カラーペーパー９０の裏面にプリントを施すプリント手段２０７、第４の搬送ローラ対２０５と同じステップモータにより間欠的に駆動される第５の搬送ローラ２０８、カラーペーパー９０を切断する第１のカッタ２０９、定速モータにより駆動される第６の搬送ローラ２１０、第の１カッタ２０９と異なったタイミングでカラーペーパー９０を切断する第２のカッタ２１１およびカラーペーパー９０を発色現像槽９４に送り込む第７の搬送ローラ２１２を備えている。
【００３０】
第１のセンサ２００および第２のセンサ２０６は、発光素子および受光素子を有するフォトセンサによって構成されている。
画像データに基づき、ウエブ状のカラーペーパー９０を露光する際、搬送ローラ対２０１、２０２、２０３、２０５、ドラム２０４および搬送ローラ２０８、２１０、２１２は、互いに非同期で、異なったタイミングおよび速度で回転し、ウエブ状のカラーペーパー９０を搬送するように構成されている。この回転タイミングおよび搬送速度の違いを吸収するため、搬送ローラ対２０１と搬送ローラ対２０２との間、搬送ローラ対２０２と搬送ローラ対２０３およびドラム２０４との間、搬送ローラ対２０３およびドラム２０４と搬送ローラ対２０５との間、搬送ローラ２０８と搬送ローラ２１０との間ならびに搬送ローラ２１０と搬送ローラ２１２との間には、それぞれ、カラーペーパー９０のループが形成されるように構成されている。
すなわち、穿孔手段９２が、カラーペーパー９０の側縁部に基準孔を穿つ穿孔時には、第２の搬送ローラ対２０２の回転が一時的に停止され、穿孔作業が終了すると、第２の搬送ローラ対２０２が再び回転されて、カラーペーパー９０が搬送される。したがって、第２の搬送ローラ対２０２は、間欠的に、カラーペーパー９０を搬送することになる。これに対して、マガジン９１内のカラーペーパー９０は、定速モータによって駆動される第１の搬送ローラ対２０１によって、つねに、一定速度で、引き出されている。したがって、第１の搬送ローラ対２０１と第２の搬送ローラ対２０２とは、回転のタイミングおよび速度が一致しないため、この画像出力装置８においては、第１の搬送ローラ対２０１と第２の搬送ローラ対２０２との間で生じるカラーペーパー９０の搬送タイミングおよび搬送速度の違いを補償するために、第１の搬送ローラ対２０１と穿孔手段９２と間のカラーペーパー９０に第１のループＬ１を形成させるように構成されている。ここに、このループＬ１の有無および大きさは、第１のループ検出用センサ２１５によって検出される。
【００３１】
また、露光部は、第３の搬送ローラ対２０３とドラム２０４とを備えており、ウエブ状のカラーペーパー９０は、ドラム２０４と、第３の搬送ローラ対２０３との間に挟持されて、副走査方向に一定速度で搬送されつつ、レーザ光照射手段８２からのレーザ光により露光される。したがって、この画像出力装置８においては、間欠的にカラーペーパー９０を搬送する第２の搬送ローラ対２０２と、露光中は、一定速度で、カラーペーパー９０を搬送する第３の搬送ローラ対２０３およびドラム２０４との間で生じるカラーペーパー９０の搬送のタイミングおよび速度の違いを補償するために、第２の搬送ローラ対２０２と第３の搬送ローラ対２０３およびドラム２０４との間のウエブ状カラーペーパー９０に第２のループＬ２を形成させるように構成されている。このループＬ２の有無および大きさは、第２のループ検出用センサ２１６によって検出される。
レーザ光照射手段８２からのレーザ光によって露光されたカラーペーパー９０は、さらに、プリント手段２０７によって、その裏面に露光条件などが印字される。この際、カラーペーパー９０は、同一のステップモータ（図示せず）によって駆動される第４の搬送ローラ対２０５および第５の搬送ローラ２０８によって間欠的に搬送される。したがって、この画像出力装置８においては、露光時には、一定速度で、カラーペーパー９０を搬送する第３の搬送ローラ対２０３およびドラム２０４と、カラーペーパー９０を間欠的に搬送する第４の搬送ローラ対２０５および第５の搬送ローラ２０８との間で生じるカラーペーパー９０を搬送するタイミングおよび速度の違いを補償するため、第３の搬送ローラ対２０３およびドラム２０４と、第４の搬送ローラ対２０５との間のウエブ状のカラーペーパー９０に第３のループＬ３を形成させるように構成されている。このループＬ３の有無および大きさは、第３のループ検出用センサ２１７によって検出される。
【００３２】
さらに、この画像出力装置８においては、同期して、カラーペーパー９０を間欠的に搬送する第４の搬送ローラ対２０５および第５の搬送ローラ２０８などの発色現像槽９４の上流側の搬送機構と、つねに一定速度で、カラーペーパー９０を搬送して、現像処理などを施す発色現像槽９４より下流側の搬送機構との間で生じるカラーペーパー９０を搬送する搬送タイミングおよび速度の違いを補償するため、第５の搬送ローラ２０８と、第６の搬送ローラ２１０との間のウエブ状のカラーペーパー９０に第４のループ（リザーバ部）Ｌ４を形成させるように構成されている。この第４のループＬ４の有無およ大きさは、第４のループ検出用センサ２１８により検出される。この第４のループＬ４は、露光されたカラーペーパー９０が、発色現像槽９４に送りこまれるまでの時間を引伸ばし、カラーペーパー９０上に形成された潜像を安定させる機能も有している。
この画像出力装置８においては、第６の搬送ローラ２１０によるカラーペーパー９０の搬送速度が、第５の搬送ローラ２０８によるカラーペーパー９０の搬送速度よりも大きくなり、第４のループＬ４の大きさが所定の大きさより小さくなった場合には、第２カッタ２１１が作動されて、ウエブ状のカラーペーパー９０が切断され、発色現像槽９４へのカラーペーパー９０の円滑な送り込みがなされることを保証している。さらに、発色現像槽９４に、連続して送り込まれたカラーペーパー９０の長さが所定長、たとえば、８メートルを越えたときには、第２カッタ２１１が作動され、ウエブ状カラーペーパー９０が切断されるように構成されている。この第２カッタ２１１を作動させるときも、発色現像槽９４へのカラーペーパー９０の送り込みを続けるために、本実施態様にかかる画像出力装置８においては、第２カッタ２１１と第７の搬送ローラ２１２との間のウエブ状カラーペーパー９０に第５のループＬ５を形成させるように構成されている。この第５のループＬ５の有無および大きさは、第５のループ検出用センサ２１９によって検出される。また、第５のループＬ５は、第６の搬送ローラ２１１と、第７の搬送ローラ２１２あるいは発色現像槽９４より下流側のカラーペーパーの搬送機構との間で生じるカラーペーパー９０を搬送するタイミングおよび速度の違いを補償する機能も有している。
【００３３】
本実施態様にかかる画像読み取り装置を含むカラー画像再生システムは、フイルム１本の処理あるいは顧客から依頼された所定枚数のカラープリントの処理などの１単位（ロット）のネガフイルム、リバーサルフイルムあるいはカラープリントに記録されたカラー画像の再生が終了した後、カラー画像の再生を、一旦、停止させ、露光されたカラーペーパー９０を、第１カッタ２０９により切断し、現像処理して、カラープリントを生成することができるように構成されている。すなわち、一時停止処理を実行する旨の指令が、オペレータによってキーボード６９から入力されると、最後の画像データに基づき、露光されたカラーペーパー９０の部分が、第１カッタ２０８を通過するまで、カラーペーパー９０が、露光されることなく送られ、最後の画像データに基づき、露光されたカラーペーパー９０の部分が、第１カッタ２０８を通過した時点で、第１カッタ２０８によって、ウエブ状のカラーペーパー９０を切断し、露光されたカラーペーパー９０のみを、発色現像槽９４、漂白定着槽９５および水洗槽９６に送って、画像出力装置８から速やかに排出させ、その後、カラー画像の再生が、一時的に停止されるように構成されている。
【００３４】
以上のように構成された本発明の好ましい実施態様にかかる透過型画像読み取り装置１０または反射型画像読み取り装置３０、画像処理装置５および画像出力装置８を含むカラー画像再生システムは、以下のようにして、フイルムＦあるいはカラープリントＰに記録されたカラー画像を読み取り、画像データを生成し、画像データに画像処理を施して、カラーペーパー９０上に、カラー画像を再生する。
ネガフイルムあるいはリバーサルフイルムなどのフイルムＦに記録されたカラー画像を再生する場合には、透過型画像読み取り装置１０が、インターフエイス２１を介して、画像処理装置５のインターフエイス４８に接続され、フイルムＦがキャリア２２にセットされる。フイルムＦがキャリア２２にセットされると、ＣＰＵ６０から駆動信号がモータ２３に出力されて、モータ２３が駆動ローラ２４を駆動する。その結果、フイルムＦは矢印の方向に搬送される。画面検出センサ２５は、フイルムＦの濃度分布を検出して、検出した濃度信号をＣＰＵ２６に出力する。この濃度信号に基づき、ＣＰＵ２６は、フイルムＦに記録されたカラー画像の画面位置を算出し、カラー画像の画面位置が所定の位置に達した判定すると、モータ２３の駆動を停止させる。その結果、フイルムＦに記録されたカラー画像が、ＣＣＤエリアセンサ１５とレンズ１６に対して、所定の画面位置で停止される。所定のタイミングで、その後、光源１１から光が発せられ、その光量が、光量調整ユニット１２によって調整される。本実施態様においては、フイルムの１コマに記録されたカラー画像は、２度にわたり読み取られ、第１の読み取り（先読み）によって得られた画像データに基づき、画像読み取り条件が決定され、光量調整ユニット１２によって、フイルムＦに照射される光の光量およびＣＣＤエリアセンサ１５の蓄積時間が調整されて、第２の読み取り（本読み）がなされるように構成されている。したがって、先読みに際しては、光源１１から発せられた光は、光量調整ユニット１２によって所定の光量に調整され、色分解ユニット１３によって、Ｒ、Ｇ、Ｂの三色に、それぞれ分解され、まず、Ｒの光がフイルムＦに照射され、次いで、Ｇの光が、最後に、Ｂの光が、それぞれ、フイルムＦに照射されて、フイルムＦを透過した光が、ＣＣＤエリアセンサ１５によって、光電的に読み取られる。
【００３５】
ＣＣＤエリアセンサ１５により、カラー画像が読み取られて生成された１フィールド分の画像データは、増幅器１７によって増幅された後、Ａ／Ｄ変換器１８により、ディジタル信号に変換される。ディジタル信号に変換された画像データは、ＣＣＤ補正手段１９によって、画素毎の感度のバラツキや暗電流の補正を受け、ログ変換器２０により、濃度データに変換された後、インターフエイス２１およびインターフエイス４８を介して、奇数フィールドあるいは偶数フィールドの画像データのみが、ライン毎に、画像処理装置５に送られる。
他方、カラープリントＰに記録されたカラー画像を再生する場合には、反射型画像読み取り装置３０が、インターフエイス４１を介して、画像処理装置５のインターフエイス４８に接続され、カラープリントＰがキャリア４２によって支持される。光源３１から発せられた光は、カラープリントＰの表面で反射され、ミラー３２を経て、カラーバランスフイルタ３３に入射して、Ｒ、Ｇ、Ｂの感度が調整された後、光量調整ユニット３４により、その光量が調整される。前述のように、先読みにおいては、光源３１から発せられた光は、光量調整ユニット３４により、所定の光量に調整され、Ｒ、Ｇ、Ｂのそれぞれに対応する３ラインセンサからなるＣＣＤラインセンサ３５により、受光され、光電的に読み取られる。ここに、光源３１およびミラー３２は、駆動手段（図示せず）により、図３において、矢印の方向に、すなわち、副走査方向に、所定の速度で移動されており、その結果、キャリア（図示せず）に支持されたカラープリントＰに記録されたカラー画像が二次元的に読み取られて、Ｒ、Ｇ、Ｂに対応する画像データが、ＣＣＤラインセンサ３５によって生成される。先読み時においては、光源３１およびミラー３２の移動速度、すなわち、副走査速度が、本読み時に比して、大きく設定されている。
【００３６】
ＣＣＤラインセンサ３５によって生成されたＲ、Ｇ、Ｂに対応する画像データは、それぞれ、増幅器３７によって増幅された後、Ａ／Ｄ変換器３８により、ディジタル信号に変換される。ディジタル信号に変換された画像データは、ＣＣＤ補正手段３９によって、画素毎の感度のバラツキや暗電流の補正を受け、ログ変換器４０によって、濃度データに変換された後、インターフエイス４１およびインターフエイス４８を介して、ライン毎に、画像処理装置５に送られる。
画像処理装置５は、透過型画像読み取り装置１０あるいは反射型画像読み取り装置３０から、画像データを受け取ると、加算平均演算手段４９により、ライン毎に送られて来た画像データの隣接する４つの画素データの値を加算して、平均し、１つの画素データとすることにより、画像データの各ラインの画素データ数を１／４に減らし、第１のラインバッファ５０ａ、第２のラインバッファ５０ｂに、１ライン毎に、交互に記憶させる。ここに、先読み時においては、ＣＰＵ６０は、第１のフレームメモリユニット５１のみを、入力バス６３に接続し、第２のフレームメモリユニット５２および第３のフレームメモリユニット５３と入力バス６３との接続を断つように制御しており、したがって、一方のラインバッファ５０ａまたは５０ｂに記憶された画像データのみが、先読みの画像データとして、１ラインづつ、順次、第１のフレームメモリユニット５１に転送される。こうして、１コマのフイルムＦあるいは１枚のカラープリントＰに記録されたカラー画像に対応する画像データが、画素データの数が１／１６に減らされて、Ｒ、Ｇ、Ｂに対応する画像データとして、それぞれ、第１のフレームメモリユニット５１のＲデータメモリ５１Ｒ、Ｇデータメモリ５１ＧおよびＢデータメモリ５１Ｂに記憶される。
【００３７】
こうして、先読みにより読み取られ、第１のフレームメモリユニット５１に記憶された画像データは、データバス６５に送られ、ＣＰＵ６０によって解析される。ＣＰＵ６０は、先読みにより読み取られた画像データに基づき、本読みによって、ＣＣＤエリアセンサ１５のダイナミックレンジに適するようにカラー画像の読み取りがなされるように、読み取り制御信号を、データバス６５を介して、透過型画像読み取り装置１０のＣＰＵ２６あるいは反射型画像読み取り装置３０のＣＰＵ４６に出力するとともに、本読みによって得られた画像データに基づいて、最適な濃度、階調および色調を有する画像をカラーペーパー９０上に再生可能なように、本読みのための画像読み取り条件を自動的に決定する。
透過型画像読み取り装置１０のＣＰＵ２６または反射型画像読み取り装置３０のＣＰＵ４６は、ＣＰＵ６０から入力された読み取り制御信号に基づき、本読み時において、所望の光量の光がフイルムＦに照射されるように、あるいは、カラープリントＰにより反射された所望の光量の光がＣＣＤラインセンサ３５により受光されるように、光量調整ユニット１２あるいは光量調整ユニット３３を制御するとともに、ＣＣＤエリアセンサ１５およびＣＣＤラインセンサ３５の蓄積時間を調整する。
【００３８】
同時に、ＣＰＵ６０は、先読みにより読み取られた画像データの解析結果にしたがって、必要に応じて、データバス６５を介して、第１の画像処理手段６１および第２の画像処理手段６２に、制御信号を送り、画像処理のパラメータなどの画像処理条件を修正する。
さらに、先読みにより読み取られ、第１のフレームメモリユニット５１に記憶され画像データは、第２の画像処理手段６２に送られ、ルックアップテーブルやマトリックス演算により、階調補正、色変換、濃度変換などの画像処理が施された後、データバス６５を介して、ＣＲＴ６８に送られて、ＣＲＴ７４の画面上にカラー画像が表示される。
オペレータは、ＣＲＴ６８の画面上に表示されたカラー画像を観察し、必要に応じて、キーボード６９を操作して、本読みのための画像読み取り条件および／または画像処理条件を修正することができる。オペレータが、キーボード６９を操作して、本読みのための画像読み取り条件および／または画像処理条件を修正すべき旨の指示信号を入力したときは、指示信号は、データバス６５を介して、ＣＰＵ６０に入力される。ＣＰＵ６０は、指示信号に基づき、制御信号を生成して、データバス６５に出力し、制御信号は、透過型画像読み取り装置１０のＣＰＵ２６もしくは反射型画像読み取り装置３０のＣＰＵ４６ならびに／または第１の画像処理手段６０および／もしくは第２の画像処理手段６１に送られ、画像読み取り条件および／または画像処理条件が修正される。本実施態様においては、データバス６５は、第１のフレームメモリユニット５１、第２のフレームメモリユニット５２、第３のフレームメモリユニット５３の入力バス６３および出力バス６４とは別個に形成されているため、画像データを、第１のフレームメモリユニット５１、第２のフレームメモリユニット５２あるいは第３のフレームメモリユニット５３に入力している間あるいはこれらから画像データを出力している間にも、オペレータは、種々の指示信号を入力することができ、また、ＣＲＴ６８の画面上に、カラー画像を再生することができる。
【００３９】
こうして、先読みによって、本読みのための画像読み取り条件および／または画像処理条件が決定されると、本読みが実行される。本読み時においては、透過型画像読み取り装置１０のＣＣＤエリアセンサ１５は、フイルムＦの１コマに記録されたカラー画像の奇数フィールドおよび偶数フィールドの画像データを生成し、また、反射画像読み取り装置３０のＣＣＤラインセンサ３５は、低い副走査速度で、１枚のカラープリントＰに記録されたカラー画像を読み取り、画像データを生成して、画像データが、インターフエイス２１あるいはインターフエイス４１およびインターフエイス４８を介して、ライン毎に、画像処理装置５に入力される。
本実施態様においては、透過型画像読み取り装置１０に用いられるＣＣＤエリアセンサ１５の分光感度は、緑色（Ｇ）光に対する分光感度のピークが、ネガフィルムに記録されたカラー画像の再生に用いられるカラーペーパーの緑色（Ｇ）光に対する分光感度のピークと一致し、赤色（Ｒ）光に対する分光感度のピークが、ネガフイルムのシアン色素の分光吸収のピークよりも短波長側で、かつ、リバーサルフイルムのシアン色素の分光吸収のピークよりも長波長側にあり、青色（Ｂ）光に対する分光感度のピークが、ネガフイルムのイエロー色素の分光吸収のピークと一致しないように、設定されている。ここに、ネガフィルムのマゼンタ色素の分光吸収特性と、リバーサルフイルムのマゼンタ色素の分光吸収特性とは、きわめて類似しているから、ＣＣＤエリアセンサ１５の緑色（Ｇ）光に対する分光感度のピークを、カラーペーパーの緑色（Ｇ）光に対する分光感度のピークと一致させることができる一方で、ネガフイルムのシアン色素の分光吸収のピークは、リバーサルフイルムのシアン色素の分光吸収のピークに比して、かなり長波長側にあるため、ＣＣＤエリアセンサ１５の赤色（Ｒ）光に対する分光感度のピークを、カラーペーパーの赤色（Ｒ）光に対する分光感度のピークと一致させると、リバーサルフイルムに記録されたカラー画像を、所望のように読み取ることが困難になり、また、ＣＣＤエリアセンサ１５の青色（Ｂ）光に対する分光感度ピークを、カラーペーパーの青色（Ｂ）光に対する分光感度ピークと一致させると、ネガフイルムのイエロー濃度が高く、きわめて微弱な光を検出しなければならなくなるため、ネガフイルムに記録されたカラー画像を、所望のように読み取ることが困難になるが、本実施態様においては、ＣＣＤエリアセンサ１５の分光感度は、青色（Ｂ）光に対する分光感度のピークが、ネガフイルムのイエロー色素の分光吸収のピークと一致しないように、設定されているので、したがって、フイルムＦに記録されたカラー画像を、色分解ユニット１３を介して、青色（Ｂ）光で露光した場合には、フイルムＦがネガフイルムであっても、リバーサルフイルムであっても、高い濃度で記録されたカラー画像が、あたかも、低い濃度で記録されていたかのように、ＣＣＤエリアセンサ１５により読み取られて、Ｂ画像データが生成され、さらに、緑色（Ｇ）光に対する分光感度のピークが、ネガフィルムに記録されたカラー画像の再生に用いられるカラーペーパーの緑色（Ｇ）光に対する分光感度のピークと一致し、赤色（Ｒ）光に対する分光感度のピークが、ネガフイルムのシアン色素の分光吸収のピークよりも短波長側で、かつ、リバーサルフイルムのシアン色素の分光吸収のピークよりも長波長側にあるように設定されているので、フイルムＦに記録されたカラー画像を、色分解ユニット１３を介して、緑色（Ｇ）光で露光し、ＣＣＤエリアセンサ１５により光電検出されて得られたＧ画像データを基準として、フイルムＦに記録されたカラー画像を、色分解ユニット１３を介して、赤色（Ｒ）光で露光して得られたＲ画像データおよびＢ画像データに、信号処理を施すことによって、カラー画像がネガフイルムに記録されているか、リバーサルフイルムに記録されているかにかかわらず、従来の方法により、カラーペーパーに再生されるカラー画像と同様の色調特性を有する画像データを得ることが可能となる。
【００４０】
画像処理装置５に入力された本読みによって読み取られた画像データは、加算平均演算手段４９に入力されるが、本読み時においては、加算処理演算手段４９は、画像データに加算処理を施すことなく、入力された画像データを、第１のラインバッファ５０ａ、第２のラインバッファ５０ｂに、１ライン毎に、交互に、転送する。本読み時においては、ＣＰＵ６０により、第２のフレームメモリユニット５２および第３のフレームメモリユニット５３のうち、画像データを書き込み可能なフレームメモリユニットのみが、入力バス６３に接続され、他方のフレームメモリユニットおよび第１のフレームメモリユニット５１と入力バス６３との接続が断たれるように制御されている。すなわち、カラー画像の読み取りがなされるときは、第１のフレームメモリユニット５１、第２のフレームメモリユニット５２、第３のフレームメモリユニット５３のいずれか一つのみが、入力バス６３に接続されて、そのフレームメモリユニットにのみ、画像データが記憶されるように構成されている。これは、本読みによって得られ、フイルムＦのあるコマに記録されたカラー画像あるいは１枚のカラープリントＰに記録されたカラー画像に対応する画像データを、出力バス６４およびセレクタ５５を介して、第１の画像処理手段６１に転送中に、フイルムＦの次のコマに記録されたカラー画像あるいは別のカラープリントＰに記録されたカラー画像の先読みを実行することを可能とし、さらには、本読みによって得られ、フイルムＦのあるコマに記録されたカラー画像あるいは１枚のカラープリントＰに記録されたカラー画像に対応する画像データを、出力バス６４およびセレクタ５５を介して、第１の画像処理手段６１に転送中に、フイルムＦの次のコマに記録されたカラー画像あるいは別のカラープリントＰに記録されたカラー画像の先読みを完了させて、フイルムＦの次のコマに記録されたカラー画像あるいは別のカラープリントＰに記録されたカラー画像の本読みを実行することができるようにして、カラー画像再生システムのデータ処理効率を向上させるためである。したがって、１ラインづつ、交互に、第１のラインバッファ５０ａおよび第２のラインバッファ５０ｂに記憶された画像データは、第２のフレームメモリユニット５２あるいは第３のフレームメモリユニット５３に転送され、Ｒ（赤）に対応する画像データはＲデータメモリ５２Ｒまたは５３Ｒに、Ｇ（緑）に対応する画像データはＧデータメモリ５２Ｇまたは５３Ｒに、Ｂ（青）に対応する画像データはＢデータメモリ５２Ｂまたは５３Ｂに、それぞれ記憶されて、第２のフレームメモリユニット５２あるいは第３のフレームメモリユニット５３に、１コマのフイルムＦあるいは１枚のカラープリントＰに記録されたカラー画像に対応する画像データが記憶される。
【００４１】
本読みによって得られた画像データが、第２のフレームメモリユニット５２または第３のフレームメモリユニット５３のＲデータメモリ５２Ｒまたは５３Ｒ、Ｇデータメモリ５２Ｇまたは５３Ｒ、Ｂデータメモリ５２Ｂまたは５３Ｂに記憶された後、画像データは、第１の画像処理手段６１に出力される。ここに、第２のフレームメモリユニット５２あるいは第３のフレームメモリユニット５３のいずれかに記憶された画像データのみが、第１の画像処理手段６１に出力されるように、ＣＰＵ６０により、セレクタ５５が制御されている。
第１の画像処理手段６１は、入力された画像データに対して、色濃度階調変換手段１００、彩度変換手段１０１、ディジタル倍率変換手段１０２、周波数処理手段１０３およびダイナミック・レンジ変換手段１０４によって、ルックアップテーブルやマトリックス演算にしたがって、色濃度階調変換、彩度変換、色調変換、ディジタル倍率変換、周波数処理およびダイナミック・レンジの変換などの画像処理を施す。
本実施態様においては、前述のように、ＣＣＤエリアセンサ１５として、緑色（Ｇ）光に対する分光感度のピークが、ネガフィルムに記録されたカラー画像の再生に用いられるカラーペーパーの緑色（Ｇ）光に対する分光感度のピークと一致し、赤色（Ｒ）光に対する分光感度のピークが、ネガフイルムのシアン色素の分光吸収のピークよりも短波長側で、かつ、リバーサルフイルムのシアン色素の分光吸収のピークよりも長波長側にあり、青色（Ｂ）光に対する分光感度のピークが、ネガフイルムのイエロー色素の分光吸収のピークと一致しないように、分光感度が設定されたものが用いられているので、Ｇ画像データの濃度信号に基づいて、色濃度階調変換手段１００により、Ｒ画像データおよびＢ画像データの濃度信号が補正される。
【００４２】
図１１は、色濃度階調変換手段１００によって実行される濃度補正処理を説明するための濃度レベルのヒストグラムであり、縦軸は頻度、横軸は濃度レベルをそれぞれ示している。図１１（ａ）の実線で示す曲線は、Ｒ画像データの濃度レベルのヒストグラム、図１１（ｂ）の実線で示す曲線は、Ｇ画像データの濃度レベルのヒストグラム、図１１（ｃ）実線で示す曲線は、Ｂ画像データの濃度レベルのヒストグラムであり、図１１に示されるように、Ｒ画像データの濃度レベルのヒストグラムおよびＢ画像データの濃度レベルのヒストグラムは、Ｇ画像データの濃度レベルのヒストグラムに比して、画像データの濃度レベルの範囲が狭くなっている。そこで、色濃度階調変換手段１００は、Ｒ画像データおよびＢ画像データの濃度レベルの最大値が、Ｇ画像データの濃度信号の濃度レベルの最大値と等しくなるように補正するとともに、Ｒ画像データおよびＢ画像データの濃度レベルの最小値が、Ｇ画像データの濃度信号の濃度レベルの最小値と等しくなるように補正する。図１１（ａ）および（ｂ）の破線で示される曲線は、色濃度階調変換手段１００により濃度補正がなされたＲ画像データおよびＢ画像データを示している。
【００４３】
こうして、第１の画像処理手段６１により画像処理が施された画像データは、データ合成手段７５に出力される。
オペレータが、キーボード６９を用いて、カラー画像を読み取って得た画像データに、データを合成すべき旨の指示信号を入力しているときは、ＣＰＵ６０からデータ合成手段７５に、データ合成信号を出力され、データ合成手段７５は、合成データメモリ７６から、カラー画像を読み取って得た画像データと合成するべき図形、文字などの画像データを読み取って合成し、他方、キーボード６９に指示信号が入力されていないときは、何の処理も実行しない。その後、画像データは、データ合成手段７５から、画像出力装置８に出力される。
画像処理装置５のデータ合成手段７５から、インターフエイス７７およびインターフエイス７８を介して、画像出力装置８に、画像データが入力されると、入力された画像データは、複数のフレームメモリからなる画像データメモリ８０に記憶される。ここに、フイルムＦあるいはカラープリントＰに記録されたカラー画像の読み取り動作と、画像出力装置８の動作は同期していないため、画像読み取り装置１により読み取られ、画像処理装置５によって画像処理を受けた画像データは、画像出力装置８の処理とは無関係に、画像出力装置８に入力される。そこで、この画像出力装置おいては、複数のフレームメモリによって、画像処理装置５から入力された画像データを記憶する画像データメモリ８０を構成し、画像データを、順次、フレームメモリに記憶させるようにして、画像読み取り装置１により、高速で、画像の読み取りがなされ、画像データが画像出力装置８に送られても、画像出力装置８が、所定の速度で、カラー画像をカラーペーパー９０上に再生することができるように保証している。
【００４４】
画像出力装置８内の各手段の作動は、ＣＰＵ７９により、制御される。画像出力装置８の起動時には、まず、その先端部が、マガジン９１から引き出されて、第１の搬送ローラ対２０１に挟持された初期状態にあるウエブ状のカラーペーパー９０が、第１の搬送ローラ対２０１によって、マガジン９１から順次引き出される。引き出されたカラーペーパー９０は、第１のループＬ１が形成された後、穿孔手段９２を経て、第２の搬送ローラ対２０２に送られる。次いで、第３の搬送ローラ対２０３とドラム２０４との間に送られ、さらに、第４の搬送ローラ対２０５に送られる。この時点では、第２のループＬ２および第３のループＬ３は形成されない。ウエブ状のカラーペーパー９０がさらに搬送されて、図１２に示されるように、その先端部が、第２のセンサ２０６により検出されると、第１の搬送ローラ対２０１、第２の搬送ローラ対２０２、第３の搬送ローラ対２０３およびドラム２０４ならびに第４の搬送ローラ対２０５の回転が停止される。この状態で、穿孔手段９２によって、カラーペーパー９０に基準孔が形成される。本実施態様においては、この基準孔が形成された部分より上流側のカラーペーパー９０が露光されるように構成されており、画像出力装置８の起動時においては、第２のセンサ２０６と穿孔手段９２との間のカラーペーパー９０の部分が、露光されず、カラー画像の再生には使用されない部分となる。
【００４５】
こうして、穿孔手段９２によって、カラーペーパー９０に基準孔が形成されると、第１の搬送ローラ対２０１、第２の搬送ローラ対２０２、第３の搬送ローラ対２０３およびドラム２０４ならびに第４の搬送ローラ対２０５が再び回転されて、副走査方向へのカラーペーパー９０の搬送が再開されるとともに、画像データメモリ８０から画像データが読みだされる。読みだされた画像データは、Ｄ／Ａ変換器８１によってアナログ信号に変換されて、変調器駆動手段８６に入力され、変調信号が生成される。同時に、半導体レーザ光源８４ａから赤色レーザ光が、半導体レーザ光源８４ｂ、８４ｃから赤外線レーザ光が発せられ、半導体レーザ光源８４ｂから発せられたレーザ光は、波長変換手段８５によって緑色のレーザ光に変換され、半導体レーザ光源８４ｃにより発せられたレーザ光は、波長変換手段８６により青色のレーザ光に変換された後、赤色レーザ光は変調器８７Ｒに、緑色レーザ光は光変調器８７Ｇに、青色レーザ光は光変調器８７Ｂに、それぞれ、入射する。光変調器８７Ｒ、８７Ｇ、８７Ｂには、それぞれ、変調器駆動手段８３から変調信号が入力されており、変調信号すなわち画像データにしたがって、その強度が変調され、レーザ光は、反射ミラー８８Ｒ、８８Ｇ、８８Ｂにより反射されて、ポリゴンミラー８９に入射する。ポリゴンミラー８９は所定の速度で回転されており、レーザ光は、ポリゴンミラー８９によって、ドラム２０４にバックアップされつつ、副走査方向に搬送されているカラーペーパー９０の表面上を、ｆθレンズ９３を介して、主走査される。したがって、カラーペーパー９０は、Ｒ、Ｇ、Ｂのレーザ光によって、二次元的に露光される。ポリゴンミラー８９の回転と同期するように、カラーペーパー９０は、副走査方向に搬送されているため、フイルムＦあるいはカラープリントＰに記録されたカラー画像に対応するように、カラーペーパー９０は、レーザ光によって露光されることになる。また、穿孔手段９２によって、カラーペーパー９０に基準孔が穿孔されると、第１の搬送ローラ対２０１、第２の搬送ローラ対２０２、第３の搬送ローラ対２０３およびドラム２０４ならびに第４の搬送ローラ対２０５の回転速度が調整されて、第２の搬送ローラ対２０２と第３の搬送ローラ対２０３およびドラム２０４の間に、第２のループＬ２が、第３の搬送ローラ対２０３およびドラム２０４と第４の搬送ローラ対２０５の間に、第３のループＬ３が、それぞれ、形成される。レーザ光により露光されたカラーペーパー９０は、プリント手段２０７により、その裏面に露光条件などのがプリントされ、第５の搬送ローラ２０８、第６の搬送ローラ２１０および第７の搬送ローラ２１２を経て、発色現像槽９４に送られる。
【００４６】
こうして、発色現像槽９４に送られたカラーペーパー９０は、発色現像され、漂白定着槽９５で漂白定着された後、水洗槽９６内で水洗され、画像処理装置５により画像処理された画像データに基づいて、カラーペーパー９０上にカラー画像が再生される。発色現像処理、漂白定着処理および水洗処理がなされたカラーペーパー９０は、乾燥部９７に送られ、乾燥された後、カラーペーパー９０の側縁部に穿孔された基準孔に基づいて、カラーペーパー９０の搬送と同期して駆動されたカッタ９８により、１コマのフイルムＦあるいは１枚のカラープリントＰに記録されたカラー画像に対応する長さに切断されて、ソータ９９に送られ、１本のフイルムＦに対応する枚数毎にあるいは顧客毎に、集積される。
オペレータにより、キーボード６９に、一時停止処理をおこなう旨の指示が入力されると、再生すべき最後の画像データに基づき、露光されたカラーペーパー９０の部分が、第１のカッタ２０９を通り過ぎるまで、カラーペーパー９０は送られ、再生すべき最後の画像データに基づき、露光されたカラーペーパー９０の部分が、第１のカッタ２０９を通り過ぎた時点で、カラーペーパー９０が、第１のカッタ２０９により切断されて、搬送が停止される。この状態では、ウエブ状カラーペーパー９０には、第２のループＬ２および第３のループＬ３が形成されており、その先端部が、第２のセンサ２０６を越えて延び、第１のカッタ２０９の刃先に対向した部分に位置している。したがって、この状態で、カラーペーパー９０の露光を再開すると、穿孔手段９２により基準孔が穿孔された部分より上流側のカラーペーパー９０にしか露光はされないため、穿孔手段９２から、第２のループＬ２および第３のループＬ３を経て、第１のカッタ２０９まで延びるカラーペーパー９０の部分は、露光されることがなく、画像の再生に用いられないことになる。この画像の再生に用いられないカラーペーパー９０の長さは、画像出力装置８の起動時に比べると、第２のループＬ２および第３のループＬ３を形成されており、また、その先端部が、第２のセンサ２０６を越えて、第１のカッタ２０９の刃先に対向する部分に位置しているため、より長いものとなってしまう。
【００４７】
そこで、本実施態様においては、一時停止処理が行われた後に、カラー画像の再生が再開されるときには、ウエブ状のカラーペーパー９０の先端部が、第１の搬送ローラ対２０１に挟持されるまで、カラーペーパー９０を巻き戻し、ウエブ状のカラーペーパー９０の先端部が、第１の搬送ローラ対２０１に挟持されるまで巻き戻されたことが、第１のセンサ２００によって検出されると、画像出力装置８の起動時と同様にして、第２のループＬ２および第３のループＬ３を形成することなく、その先端部が、第２のセンサ２０６により検出されるまで、カラーペーパー９０を送り、その後に、カラー画像の再生を開始するように、各搬送手段が制御されている。
本実施態様によれば、一時停止処理後に、カラー画像の再生を再開するときには、ウエブ状のカラーペーパー９０の先端部が、第１の搬送ローラ対２０１に挟持されるまで、カラーペーパー９０を巻き戻し、次いで、画像出力装置８を起動２８時と同様にして、第２のループＬ２および第３のループＬ３を形成することなく、その先端部が、第２のセンサ２０６により検出されるまで、カラーペーパー９０を送り、その後に、カラー画像の再生を開始しているので、カラー画像の再生に使用されないカラーペーパー９０の部分を大幅に減少させることができ、カラーペーパー９０を有効に活用することが可能になる。
【００４８】
本実施態様によれば、ＣＣＤエリアセンサ１５として、緑色（Ｇ）光に対する分光感度のピークが、ネガフィルムに記録されたカラー画像の再生に用いられるカラーペーパーの緑色（Ｇ）光に対する分光感度のピークと一致し、赤色（Ｒ）光に対する分光感度のピークが、ネガフイルムのシアン色素の分光吸収のピークよりも短波長側で、かつ、リバーサルフイルムのシアン色素の分光吸収のピークよりも長波長側にあり、青色（Ｂ）光に対する分光感度のピークが、ネガフイルムのイエロー色素の分光吸収のピークと一致しないように、分光感度が設定されたものが用いられている。したがって、フイルムＦに記録されたカラー画像を、色分解ユニット１３を介して、青色（Ｂ）光で露光した場合には、フイルムＦがネガフイルムであっても、リバーサルフイルムであっても、高い濃度で記録されたカラー画像が、あたかも、低い濃度で記録されていたかのように、ＣＣＤエリアセンサ１５により読み取られて、Ｂ画像データが生成されるから、カラー画像の濃度が高くても、Ｓ／Ｎ比を向上させることが可能になる。また、緑色（Ｇ）光に対する分光感度のピークが、ネガフィルムに記録されたカラー画像の再生に用いられるカラーペーパーの緑色（Ｇ）光に対する分光感度のピークと一致し、赤色（Ｒ）光に対する分光感度のピークが、ネガフイルムのシアン色素の分光吸収のピークよりも短波長側で、かつ、リバーサルフイルムのシアン色素の分光吸収のピークよりも長波長側にあるように設定されているから、フイルムＦに記録されたカラー画像を、色分解ユニット１３を介して、緑色（Ｇ）光で露光し、ＣＣＤエリアセンサ１５によって光電検出されて得られたＧ画像データを基準として、色濃度階調変換手段１００によって、Ｒ画像データおよびＢ画像データに信号処理を施し、濃度レベルを補正することによって、カラー画像がネガフイルムに記録されているか、リバーサルフイルムに記録されているかにかかわらず、従来の方法により、カラーペーパーに再生されるカラー画像と同様の色調特性を有する画像データを得て、所望の色調で、カラー画像をカラーペーパー９０上に再生することが可能となる。
【００４９】
本発明は、以上の実施態様に限定されることなく、特許請求の範囲に記載された発明の範囲内で種々の変更が可能であり、それらも本発明の範囲内に包含されるものであることはいうまでもない。
たとえば、前記実施態様においては、先読みによって得られた画像データに基づいて、読み取り制御手段２１および４１により、光量調整ユニット１２および光量調整ユニット３４を制御して、本読みにおける光量を調整するとともに、本読みにおけるＣＣＤエリアセンサ１５およびＣＣＤラインセンサ３５の蓄積時間を制御しているが、光量調整ユニット１２および光量調整ユニット３４を制御して、本読みにおける光量のみを調整するようにしても、あるいは、本読みにおけるＣＣＤエリアセンサ１５およびＣＣＤラインセンサ３５の蓄積時間をのみを制御するようにしてもよい。さらには、これらに加えて、あるいは、これらに代えて、ＣＣＤエリアセンサ１５およびＣＣＤラインセンサ３５のクロック速度を制御するようにしてもよい。
さらに、、前記実施態様においては、第１の画像処理手段６１は、色濃度階調変換手段１００、彩度変換手段１０１、ディジタル倍率変換手段１０２、周波数処理手段１０３およびダイナミック・レンジ変換手段１０４を備え、入力された画像データは、色濃度階調変換、彩度変換、倍率変換、周波数処理およびダイナミック・レンジ変換を、この順序で、受けるように構成されているが、周波数処理に先立って、倍率変換がなされるように構成されていれば、その他の処理手段による画像処理の順序は任意に変更することができる。
【００５０】
また、前記実施態様においては、反射型画像読み取り装置１０は、ＣＣＤラインセンサ３５を用いて、カラー画像の読み取りをおこなっているが、ＣＣＤラインセンサ３５に代えて、ＣＣＤエリアセンサを用いることもできる。
さらに、前記実施態様においては、カラー画像をカラーペーパー９０上に再生しているが、カラー画像をＣＲＴ６８上に再生するのみで、カラーペーパー９０上に再生しない場合があってもよい。
また、前記実施態様においては、反射型画像読み取り装置３０により生成された画像データは、画素毎に、画像処理装置５に転送されているが、フォーマット変更手段を、ライン単位で、転送されるＲ、Ｇ、Ｂの画像データを、Ｒデータメモリ５１Ｒ、Ｇデータメモリ５１ＧおよびＢデータメモリ５１Ｂを備えた第１のフレームメモリユニット５１、Ｒデータメモリ５２Ｒ、Ｇデータメモリ５２ＧおよびＢデータメモリ５２Ｂを備えた第２のフレームメモリユニット５２またはＲデータメモリ５３Ｒ、Ｇデータメモリ５３ＧおよびＢデータメモリ５３Ｂを備えた第３のフレームメモリユニット５３に、選択的に、記憶させるように構成すれば、反射型画像読み取り装置３０から、画像データを、第１のラインのＲ画像データ、第１のラインのＧ画像データ、第１のラインのＢ画像データ、次いで、第２のラインのＲ画像データ、第２のラインのＧ画像データ、第２のラインのＢ画像データというように、赤（Ｒ）、緑（Ｇ）、青（Ｂ）の画像データ毎に、ライン単位で、画像処理装置５に転送するようにしてもよい。
【００５１】
さらには、本発明において、手段とは、必ずしも物理的手段を意味するものではなく、各手段の機能が、ソフトウエアによって実現される場合も包含する。また、一つの手段の機能が二以上の物理的手段により実現されても、二以上の手段の機能が一つの物理的手段により実現されてもよい。
【００５２】
【発明の効果】
本発明によれば、ネガフイルムもしくはリバーサルフイルムまたはカラープリントに記録されたカラー画像を光電的に読み取り、ディジタル信号に変換して得た画像データに画像処理を施して、カラー画像を再生するカラー画像再生システムに用いられ、ネガフイルムおよびリバーサルフイルムに記録されたカラー画像を読み取る画像読み取り装置であって、ネガフイルムあるいはリバーサルフイルムに記録されたカラー画像を、従来の方法で、カラーペーパー上に再生するのと同様の色調で、カラーペーパー上に再生可能なように、読み取って、ディジタル信号に変換することのできる画像読み取り装置を提供することが可能となる。
【図面の簡単な説明】
【図１】図１は、本発明の好ましい実施態様にかかる画像読み取り装置を含むカラー画像再生システムのブロックダイアグラムである。
【図２】図２は、本発明の実施態様にかかるカラー画像再生システム用の透過型画像読み取り装置の概略図である。
【図３】図３は、カラー画像再生システム用の反射型画像読み取り装置の一例を示す概略図である。
【図４】図４は、画像処理装置の一例を示すブロックダイアグラムである。
【図５】図５は、画像処理装置の一例を示すブロックダイアグラムである。
【図６】図６は、第１のフレームメモリユニット、第２のフレームメモリユニットおよび第３のフレームメモリユニットの詳細を示すブロックダイアグラムである。
【図７】図７は、本発明の好ましい実施態様にかかる画像読み取り装置により読み取られた画像データに基づき、カラーペーパー上に、カラー画像を再生するカラー画像再生システム用の画像出力装置の概略図である。
【図８】図８は、画像出力装置のレーザ光照射手段の概略図である。
【図９】図９は、画像処理装置の第１の画像処理手段の詳細を示すブロックダイアグラムである。
【図１０】図１０は、発色現像槽の上流側の画像出力装置の詳細図である。
【図１１】図１１は、色濃度階調変換手段によって実行される濃度補正処理を説明するための図面である。
【図１２】図１２は、画像出力装置の起動時における発色現像槽の上流側の画像出力装置の詳細図である。
【符号の説明】
Ｆ  フイルム
Ｐ  カラープリント
１  画像読み取り装置
５  画像処理装置
８  画像出力装置
１０  透過型画像読み取り装置
１１  光源
１２  光量調整ユニット
１３  色分解ユニット
１４  拡散ユニット
１５  ＣＣＤエリアセンサ
１６  レンズ
１７  増幅器
１８  Ａ／Ｄ変換器
１９  ＣＣＤ補正手段
２０  ログ変換器
２１  インターフエイス
２２  キャリア
２３  モータ
２４  駆動ローラ
２５  画面検出センサ
２６  ＣＰＵ
３０  反射型画像読み取り装置
３１  光源
３２  ミラー
３３  カラーバランスフイルタ
３４  光量調整ユニット
３５  ＣＣＤエリアセンサ
３６  レンズ
３７  増幅器
３８  Ａ／Ｄ変換器
３９  ＣＣＤ補正手段
４０  ログ変換器
４１  インターフエイス
４６  ＣＰＵ
４８  インターフエイス
４９  加算平均演算手段
５０ａ  第１のラインバッファ
５０ａＲ  第１のＲラインバッファ
５０ａＧ  第１のＧラインバッファ
５０ａＢ  第１のＢラインバッファ
５０ｂ  第２のラインバッファ
５０ｂＲ  第２のＲラインバッファ
５０ｂＧ  第２のＧラインバッファ
５０ｂＢ  第２のＢラインバッファ
５１  第１のフレームメモリユニット
５１Ｒ  Ｒデータメモリ
５１Ｇ  Ｇデータメモリ
５１Ｂ  Ｂデータメモリ
５２  第２のフレームメモリユニット
５２Ｒ  Ｒデータメモリ
５２Ｇ  Ｇデータメモリ
５２Ｂ  Ｂデータメモリ
５３  第３のフレームメモリユニット
５３Ｒ  Ｒデータメモリ
５３Ｇ  Ｇデータメモリ
５３Ｂ  Ｂデータメモリ
５５  セレクタ
６０  ＣＰＵ
６１  第１の画像処理手段
６２  第２の画像処理手段
６３  入力バス
６４  出力バス
６５  データバス
６６  メモリ
６７  ハードディスク
６８  ＣＲＴ
６９  キーボード
７０  通信ポート
７５  データ合成手段
７６  合成データメモリ
７６Ｒ  Ｒデータメモリ
７６Ｇ  Ｇデータメモリ
７６Ｂ  Ｂデータメモリ
７７  インターフエイス
７８  インターフエイス
７９  ＣＰＵ
８０  画像データメモリ
８１  Ｄ／Ａ変換器
８２  レーザ光照射手段
８３  変調器駆動手段
８４ａ、８４ｂ、８４ｃ  半導体レーザ光源
８５、８６  波長変換手段
８７Ｒ、８７Ｇ、８７Ｂ  光変調器
８８Ｒ、８８Ｇ、８８Ｂ  反射ミラー
８９  ポリゴンミラー
９０  カラーペーパー
９１  マガジン
９２  穿孔手段
９３  ｆθレンズ
９４  発色現像槽
９５  漂白定着槽
９６  水洗槽
９７  乾燥部
９８  カッタ
９９  ソータ
１００  色濃度階調変換手段
１０１  彩度変換手段
１０２  ディジタル倍率変換手段
１０３  周波数処理手段
１０４  ダイナミック・レンジ変換手段
２００  第１のセンサ
２０１  第１の搬送ローラ対
２０２  第２の搬送ローラ対
２０３  第３の搬送ローラ対
２０４  ドラム
２０５  第４の搬送ローラ対
２０６  第２のセンサ
２０７  プリント手段
２０８  第５の搬送ローラ
２０９  第１のカッタ
２１０  第６の搬送ローラ
２１１  第２のカッタ
２１２  第７の搬送ローラ
２１５  第１のループ検出用センサ
２１６  第２のループ検出用センサ
２１７  第３のループ検出用センサ
２１８  第４のループ検出用センサ
２１９  第５のループ検出用センサ
【図１】
0003708621.tif 000002
【図２】
0003708621.tif 000003
【図３】
0003708621.tif 000004
【図４】
0003708621.tif 000005
【図５】
0003708621.tif 000006
【図６】
0003708621.tif 000007
【図７】
0003708621.tif 000008
【図８】
0003708621.tif 000009
【図９】
0003708621.tif 000010
【図１０】
0003708621.tif 000011
【図１１】
0003708621.tif 000012
【図１２】
0003708621.tif 000013